(57)【要約】【課題】  本発明は同期信号の伝送構造が改善されたディスプレイ装置及びシャッターメガネを提供することを目的とする。【解決手段】  本発明の実施例による３次元映像を表示するディスプレイ装置と通信するシャッターメガネは、選択的な光透過ができるように作動するレンズ部と、第１信号を受信する信号受信部と、受信した第１信号に対するコリレーション（correlation）分析によってディスプレイ装置の３Dディスプレイに対応される同期信号を復元する同期信号復元部と、同期信号復元部によって復元された同期信号に対応してレンズ部を作動させるシャッター駆動部を含むことを特徴とする。【選択図】図３
2012060631.tif 000002
【特許請求の範囲】
【請求項１】
３次元映像を表示するディスプレイ装置と通信するシャッターメガネであって、
選択的な光透過ができるように作動するレンズ部；
第１信号を受信する信号受信部；
前記受信した第１信号に対するコリレーション（correlation）分析によって前記ディスプレイ装置の３Dディスプレイに対応される同期信号を復元する同期信号復元部；及び
前記同期信号復元部によって復元された同期信号に対応して前記レンズ部を作動させるシャッター駆動部を含むことを特徴とするシャッターメガネ。
【請求項２】
前記第１信号は直交性を持つコード信号であることを特徴とする請求項１に記載のシャッターメガネ。
【請求項３】
前記第１信号はPNコード信号であることを特徴とする請求項２に記載のシャッターメガネ。
【請求項４】
前記第１信号は赤外線信号であることを特徴とする請求項１に記載のシャッターメガネ。
【請求項５】
３次元映像に対応する映像信号を受信する映像受信部；
ディスプレイ部に映像で表示されるように前記映像信号を処理する映像処理部；
前記表示される映像に対応して作動するシャッターメガネと通信する通信部；及び
３Dディスプレイに対応される同期信号を直交性を持つコード信号に変換して前記通信部に伝送する同期信号処理部を含むことを特徴とするディスプレイ装置。
【請求項６】
前記コード信号はPNコード信号であることを特徴とする請求項５に記載のディスプレイ装置。
【請求項７】
前記通信部は前記シャッターメガネと赤外線信号を使用して通信することを特徴とする請求項５に記載のディスプレイ装置。
【請求項８】
３次元映像に対応する映像信号を受信する段階と；
前記受信される映像信号に基づいて映像を表示する段階と；
既設定された反復パターンを持つ直交性の既指定されたノイズコードを前記映像信号の垂直同期区間に対応するように形成した同期信号を生成する段階と；
前記表示される映像に対応するように作動するシャッターメガに対して、前記シャッターメガネが前記既指定されたノイズコードに基づいて前記同期信号で前記垂直同期区間を復元するように、前記同期信号を前記シャッターメガネに伝送する段階と；
を含むことを特徴をするディスプレイ装置の制御方法。
【請求項９】
前記ノイズコードはPNコードを含むことを特徴とする請求項８に記載のディスプレイ装置の制御方法。
【請求項１０】
３次元映像を表示するディスプレイ装置と通信して、前記３次元映像に対して選択的な光透過ができるように作動するレンズ部を含むシャッターメガネの制御方法であって、
既設定された反復パターンを持つ直交性のノイズコードが指定される段階と；
前記ノイズコードが前記表示される映像の垂直同期区間に形成された同期信号を前記ディスプレイ装置から受信して、前記ノイズコードに基づいて前記受信される同期信号から前記垂直同期区間を復元する段階と；
前記垂直同期区間が復元された同期信号に対応して前記レンズ部が作動する段階と；を含むことを特徴をするシャッターメガネの制御方法。
【請求項１１】
前記ノイズコードはPNコードを含むことを特徴とする請求項１０に記載のシャッターメガネの制御方法。
【請求項１２】
前記垂直同期区間を復元する段階は、前記同期信号に対して前記ノイズコードとのコリレーション分析を行って前記分析の結果に基づいて前記ノイズコードが形成された区間を前記垂直同期区間であると判断する段階を含むことを特徴とする請求項１０に記載のシャッターメガネの制御方法。
【請求項１３】
前記ノイズコードが形成された区間を前記垂直同期区間であると判断する段階は、前記同期信号の所定区間及び前記既指定されたノイズコードとの相関度が既設定レベル以上の場合に該当区間を前記垂直同期区間であると判断する段階を含むことを特徴とする請求項１２に記載のシャッターメガネの制御方法。
【発明の詳細な説明】
【技術分野】
【０００１】
本発明は、３次元の映像を表示するディスプレイ装置及びその制御方法と、シャッターメガネ及びその制御方法と、ディスプレイシステムに関するものとして、詳しくはディスプレイ装置の表示映像に対応してシャッターメガネが作動するようにディスプレイ装置からシャッターメガネに伝送される同期信号に対するノイズフィルタリング（noise  filtering）構造に関するディスプレイ装置及びその制御方法と、シャッターメガネ及びその制御方法と、ディスプレイシステムに関するものである。
【背景技術】
【０００２】
ディスプレイシステムが具備したディスプレイ装置は外部の映像供給源から入力される映像信号を処理してこれを液晶などで具現されるディスプレイパネル（display  panel）上に映像で表示する。ディスプレイ装置は映像をパネル上に表示するために映像情報を含む走査ラインをパネル上に走査して、このように走査された走査ラインがパネル上で順次に配置されることによって一つの映像フレーム（frame）を構成するようにする。
【０００３】
ディスプレイ装置が表示する映像はその特性によって２次元映像と３次元映像に区分される。使用者の両側の目による視野角度は違って、これによって使用者は事物の３次元的な立体を認知する。この原理によって、３次元映像は左眼の映像と右眼の映像が区分されてディスプレイ装置に表示されて、ディスプレイシステムはこれに対応して使用者の両眼に対する選択的な光透過を行うことができる３次元のメガネを具備する。３次元のメガネは電圧認可の可否によって光を選択的に透過させるシャッターメガネ、又は既設定された偏光方向の光を透過できる偏光メガネに具現される。
【０００４】
３次元のメガネがシャッターメガネに具現される場合、ディスプレイ装置は表示される３次元の映像に対応する同期信号を生成してシャッターメガネに送信して、シャッターメガネはディスプレイ装置から送信される同期信号によって作動することによって使用者の両眼に対する映像透過を選択的に行う。
【発明の概要】
【発明が解決しようとする課題】
【０００５】
本発明は同期信号の伝送構造が改善されたディスプレイ装置及びシャッターメガネを提供することを目的とする。
【課題を解決するための手段】
【０００６】
本発明の実施例による３次元映像を表示するディスプレイ装置と通信するシャッターメガネは、選択的な透過ができるように作動するレンズ部；第１信号を受信する信号受信部；前記受信した第１信号に対するコリレーション（correlation）分析により前記ディスプレイ装置の３Dディスプレイに対応される同期信号を復元する同期信号復元部；及び前記同期信号復元部によって復元された同期信号に対応して前記レンズ部を作動させるシャッター駆動部を含むことを特徴とする。
【０００７】
ここで、前記第１信号は直交性を持つコード信号であることができる。
【０００８】
ここで、前記第１信号はPNコード信号であることができる。
【０００９】
また、前記第１信号は赤外線信号であることができる。
【００１０】
また、本発明の実施例によるディスプレイ装置は、３次元映像に対応する映像信号を受信する映像受信部；ディスプレイ部に映像で表示されるように前記映像信号を処理する映像処理部；前記表示される映像に対応するように作動するシャッターメガネと通信する通信部；及び３Dディスプレイに対応される同期信号を直交性を持つコード信号に変換して前記通信部に伝送する同期信号処理部を含むことを特徴とする。
【００１１】
ここで、前記コード信号はPNコード信号であることができる。
【００１２】
また、前記通信部は前記シャッターメガネと赤外線信号を使用して通信することができる。
【００１３】
また、本発明の実施例によるディスプレイ装置は、３次元映像に対応する映像信号を受信する映像受信部と；ディスプレイ部に映像で表示されるように前記映像信号を処理する映像処理部と；前記表示される映像に対応するように作動するシャッターメガネと通信する通信部と；既設定された反復パターンを持つ直交性の既指定されたノイズコードを前記映像信号の垂直同期区間に対応するように形成した同期信号を生成して、前記シャッターメガネが前記既設定されたノイズコードに基づいて前記同期信号で前記垂直同期区間を復元するように前記同期信号を前記通信部に伝送する同期信号処理部を含むことを特徴とする。
【００１４】
ここで、前記ノイズコードはPN（pseudo-noise）コードを含むことができる。
【００１５】
また、前記通信部は、赤外線通信方式に基づいて前記同期信号を前記シャッターメガネに伝送することができる。
【００１６】
また、本発明の実施例による３次元映像を表示するディスプレイ装置と通信するシャッターメガネは、選択的な光透過ができるように作動するレンズ部と；既設定された反復パターンを持つ直交性のノイズコードが前記表示映像の垂直同期区間に形成された同期信号を前記ディスプレイ装置から受信する信号受信部と；前記ノイズコードが既指定されて、前記既指定されたノイズコードに基づいて前記信号受信部に受信される前記同期信号で前記垂直同期区間を復元する同期信号復元部と；前記同期信号復元部によって復元された同期信号に対応して前記レンズ部を作動させるシャッター駆動部と；を含むことを特徴とする。
【００１７】
ここで、前記ノイズコードはPNコードを含むことができる。
【００１８】
また、前記同期信号復元部は、前記同期信号に対して前記ノイズコードとのコリレーション（correlation）分析を行って、前記分析の結果に基づいて前記ノイズコードが形成された区間を前記垂直同期区間であると判断することができる。
【００１９】
ここで、前記同期信号復元部は、前記同期信号の所定区間及び前記既指定されたノイズコードとの相関度が既設定レベル以上の場合に該当区間を前記垂直同期区間であると判断することができる。
【００２０】
また、前記信号受信部は、赤外線通信方式に基づいて前記同期信号を前記ディスプレイ装置から受信することができる。
【００２１】
また、本発明の実施例によるディスプレイ装置の制御方法は、３次元映像に対応する映像信号を受信する段階と；前記受信される映像信号に基づいて映像を表示する段階と；既設定された反復パターンを持つ直交性の既指定されたノイズコードを前記映像信号の垂直同期区間に対応するように形成した同期信号を生成する段階と；前記表示される映像に対応して作動するシャッターメガネに対して、前記シャッターメガネが前記既指定されたノイズコードに基づいて前記同期信号で前記垂直同期区間を復元するように、前記同期信号を前記シャッターメガネに伝送する段階と；を含むことを特徴とする。
【００２２】
ここで、前記ノイズコードはPNコードを含むことができる。
【００２３】
また、本発明の実施例による３次元映像を表示するディスプレイ装置と通信して、前記３次元映像に対応して選択的な光透過ができるように作動するレンズ部を持つシャッターメガネの制御方法は、既設定された反復パターンを持つ直交性のノイズコードが指定される段階と；前記ノイズコードが前記表示される映像の垂直同期区間に形成された同期信号を前記ディスプレイ装置から受信して、前記ノイズコードに基づいて前記受信される同期信号で前記垂直同期区間を復元する段階と；前記垂直同期区間が復元された同期信号に対応して前記レンズ部が作動する段階と；を含むことを特徴とする。
【００２４】
ここで、前記ノイズコードはPNコードを含むことができる。
【００２５】
また、前記垂直同期区間を復元する段階は、前記同期信号に対して前記ノイズコードとのコリレーション分析を行って前記分析の結果に基づいて前記ノイズコードが形成された区間を前記垂直同期区間であると判断する段階を含むことができる。
【００２６】
ここで、前記ノイズコードが形成された区間を前記垂直同期区間であると判断する段階は、前記同期信号の所定区間及び前記既設定されたノイズコードとの相関度が既設定レベル以上の場合に該当区間を前記垂直同期区間であると判断する段階を含むことができる。
【００２７】
また、本発明の実施例によるディスプレイシステムは、３次元映像信号に基づいて３次元映像を表示するディスプレイ装置と；選択的な光透過ができるように作動するレンズ部を持って、前記表示映像に対応するように前記レンズ部を作動させるシャッターメガネと；を含めて、前記ディスプレイ装置は、既設定された反復パターンを持つ直交性の既指定されたノイズコードを前記映像信号の垂直同期区間に対応するように形成した同期信号を生成して、前記同期信号を前記シャッターメガネに伝送して、前記シャッターメガネは、前記ディスプレイ装置から受信される前記同期信号から前記既指定されたノイズコードに基づいて前記垂直同期区間を復元して、前記復元された同期信号に対応して前記レンズ部を作動させることを特徴とする。
【００２８】
ここで、前記ノイズコードはPNコードを含むことができる。
【００２９】
また、前記シャッターメガネは、前記受信される同期信号に対して前記既指定されたノイズコードとのコリレーション分析を行って、前記分析の結果に基づいて前記ノイズコードが形成された区間を前記垂直同期区間であると判断することができる。
【００３０】
ここで、前記シャッターメガネは、前記同期信号の所定区間及び前記既指定されたノイズコードとの相関度が既設定レベル以上の場合に該当区間を前記垂直同期区間であると判断することができる。
【００３１】
また、前記ディスプレイ装置は、赤外線通信方式に基づいて前記同期信号を前記シャッターメガネに伝送することができる。
【発明の効果】
【００３２】
本発明によると、ディスプレイ装置でシャッターメガネに対する同期信号の伝送中に混入されるノイズを容易にフィルタリングして、シャッターメガネの正常な動作を保障することができる。
【図面の簡単な説明】
【００３３】
【図１】本発明の実施例によるディスプレイシステムの例示図である。
【図２】図１のディスプレイシステムの構成ブロック図である。
【図３】図１のディスプレイシステムで、既指定されたノイズコードに基づいて同期信号を生成及び復元する概念図である。
【図４】図１のシャッターメガネから、受信される同期信号のコリレーション（correlation)分析の結果の例示を表すグラフである。
【図５】図１のディスプレイ装置の制御方法を表す制御流れ図である。
【図６】図１のシャッターメガネの制御方法を表す制御流れ図である。
【発明を実施するための形態】
【００３４】
以下では添付された図面を参照して本発明に対して詳しく説明する。以下実施例では本発明の思想と直接的な関連がある構成に限って説明して、それ以外の構成に関しては説明を省略する。しかし、本発明の思想が適用されたディスプレイシステム１を具現することにあって、このように説明が省略された構成が不必要であることを意味することではないと明かす。
【００３５】
図１は本発明の一実施例によるディスプレイシステム１の例示図である。
【００３６】
図１に図示されたように、本実施例によるディスプレイシステム１は外部から入力される映像信号を処理して映像で表示するディスプレイ装置１００と、ディスプレイ装置１００に表示される映像が３次元映像の場合これに対応して光を選択的に透過又は遮断するように動作するシャッターメガネ２００を含む。
【００３７】
ディスプレイ装置１００は図示されない外部の映像供給源から映像信号を受信する。こういう映像供給源は限定されないところ、ディスプレイ装置１００はCPU（図示せず）及びグラフィックカード（図示せず）を含んで映像信号を生成してこれをローカル（local）で提供するコンピューター本体（図示せず）、映像信号をネットワークで提供するサーバ（図示せず）、空中波又はケーブルを利用して放送信号を送出する放送局の送出装置（図示せず）など多様な映像供給源から映像信号を供給されることができる。
【００３８】
ディスプレイ装置１００は外部から２次元映像に対応する２次元映像信号又は３次元映像に対応する３次元映像信号が受信されることによって、これを処理して映像で表示する。ここで、３次元映像は２次元映像と違って、使用者に左眼に対応する左眼映像のフレーム（frame）及び使用者の右眼に対応する右眼映像のフレームを含む。ディスプレイ装置１００は３次元映像信号を受信すると、これに基づいて左眼映像のフレームと右眼映像のフレームを交代で表示する。
【００３９】
シャッターメガネ２００はディスプレイ装置１００に３次元映像が表示される場合、現在左眼映像のフレーム又は右眼映像のフレームの中どのものが表示されるかの可否に対応して、使用者の左眼又は右眼に対する視野を選択的に開放したり遮断する。つまり、ディスプレイ装置１００に左眼球映像のフレームが表示されている場合に、シャッターメガネ２００は使用者の左眼の視野を開放して右眼の視野を遮断する。逆に、ディスプレイ装置１００に右眼映像のフレームが表示されている場合に、シャッターメガネ２００は右眼の視野を開放して左眼の視野を遮断する。
【００４０】
このように、ディスプレイ装置１００に表示される３次元映像及びシャッターメガネ２００の選択的な光透過／光遮断動作を相互対応させるために、ディスプレイ装置１００は映像フレームの表示タイミングに対応する同期信号を生成してシャッターメガネ２００に伝送して、シャッターメガネ２００は受信される同期信号に基づいて動作する。
【００４１】
以下、ディスプレイ装置１００及びシャッターメガネ２００の各構成に関して図２を参照して説明する。図２はディスプレイ装置１００及びシャッターメガネ２００の制御関係を表す構成ブロック図である。
【００４２】
図２に図示されたように、ディスプレイ装置１００は映像信号を受信する映像受信部１１０と、映像受信部１１０に受信される映像信号を処理する映像処理部１２０と、映像処理部１２０によって処理される映像信号を映像で表示するディスプレイ部１３０と、シャッターメガネ２００と通信する通信部１４０と、ディスプレイ部１３０に３次元映像が表示される場合にこれに対応する駆動信号を生成して通信部１４０を通じて伝送する同期信号処理部１５０を含む。
【００４３】
そして、シャッターメガネ２００は通信部１４０と通信して同期信号を受信する信号受信部２１０と、使用者の左眼及び右眼に対して各々光透過／光遮断させるように作動する左眼レンズ部２２０及び右眼レンズ部２３０と、信号受信部２１０に受信される同期信号をシャッターメガネ２００で使用できるように復元処理する同期信号復元部２４０と、同期信号復元部２４０によって復元される同期信号に基づいて左眼レンズ部２２０及び右眼レンズ部２３０を作動させるシャッター駆動部２５０を含む。
【００４４】
こういう構成の本実施例によるディスプレイシステム１は次のように動作する。ディスプレイ装置１００の同期信号処理部１５０は同期信号を生成することにあって、既設定された反復パターン（pattern）を持つ直交性（orthogonality）の既指定されたノイズコード（noise  code）を映像信号の垂直同期区間に対応して形成する。そして、シャッターメガネ２００はディスプレイ装置１００から同期信号を受信すると、既指定されたノイズコードに基づいて受信される同期信号から垂直同期区間を復元する。
【００４５】
これによって、同期信号がディスプレイ装置１００からシャッターメガネ２００に伝送される過程で別途のノイズが同期信号に混入されても、シャッターメガネ２００はこのように混入されたノイズをフィルタリングして垂直同期区間を判別することができる。故に、同期信号にノイズが混入される時に発生できるシャッターメガネ２００の誤動作、例えば左眼レンズ部２２０及び右眼レンズ部２３０のシャッター動作がディスプレイ装置１００の表示映像のタイミングと同期しないなどの状況を防止することができる。
【００４６】
同期信号の垂直同期区間に対応して形成される既指定されたノイズコードに関しては後述する。
【００４７】
以下、ディスプレイ装置１００の各構成要素に関して説明する。
【００４８】
映像受信部１１０は映像信号を受信して映像処理部１２０に伝達して、受信する映像信号の規格及びディスプレイ装置１００の具現形態に対応して多様な方式で具現されることができる。
【００４９】
例えば、ディスプレイ装置１００がTVに具現される場合、映像受信部１１０は放送局（図示せず）から送出されるRF(radio  frequency)信号を無線で受信したり、コンポジット（composite）ビデオ、コンポーネント（component）ビデオ、スーパービデオ（super  video）、SCART、HDMI（high  definition  multimedia  interface）規格などによる映像信号を有線で受信することができる。映像受信部１１０は映像信号が放送信号である場合、この放送信号をチャンネル別にチューニングするチューナー（tuner）を含む。
【００５０】
ディスプレイ装置１００がコンピューターモニターである場合に映像受信部１１０はVGA方式によるRGB信号を伝達することができるD-SUBや、DVI（digital  video  interactive）規格によるDVI-A（analog）、DVI-I（integrated  digital／analog）、DVI-D（digital）や、HDMI規格などに具現されることができる。又は、映像受信部１１０はディスプレイポート（DisplayPort）、UDI（unified  display  interface）、又はワイヤレス（wireless）HDなどに具現されることもできる。
【００５１】
映像処理部１２０は映像信号に対して既設定された多様な映像処理プロセスを行う。映像処理部１２０はこういったプロセスを行って映像信号をディスプレイ部１３０に出力することによって、ディスプレイ部１３０に映像が表示される。
【００５２】
映像処理部１２０が行う映像処理プロセスの種類は限定されないところ、例えば、多様な映像フォーマットに対応するデコーディング（decoding）、及びエンコード（encoding）、デインターレース（de-interlacing）、フレームリフレッシューレート（frame  refresh  rate）変換、スケーリング（scaling）、映像画質改善のためのノイズ減少（noise  reduction）、ディテール強化（detail  enhancement）、ラインスキャニング（line  scanning）などを含むことができる。映像処理部１２０はこの各プロセスを独自的に行うことができる個別的な構成に具現されたり、又は様々な機能を統合させた一体型構成に具現されることができる。
【００５３】
映像処理部１２０は映像信号を各フレーム別複数の水平走査ラインに処理してディスプレイ部１３０に走査する。映像処理部１２０はディスプレイ部１３０の表示領域の上側から下側に映像を走査して、一フレームの走査が完了すると既設定された非走査時間、つまり垂直同期区間以後に次の映像を走査する。
【００５４】
映像処理部１２０は映像受信部１１０から３次元映像に対応する映像信号が伝達されると、左眼映像のフレーム及び右眼映像のフレーム各々に対応する映像信号を交代でディスプレイ部１３０に走査する。これによって、垂直同期区間でディスプレイ部１３０には左眼映像のフレーム及び右眼映像のフレームが交代で表示される。
【００５５】
ディスプレイ部１３０はその具現方式が限定されないが例えば液晶ディスプレイパネルに具現されて、映像処理部１２０によって処理される映像信号が映像で表示される。ディスプレイ部１３０は映像処理部１２０から走査される複数の水平走査ラインが垂直に配列されることによって映像フレームを表示することができる。
【００５６】
通信部１４０は同期信号処理部１５０から伝達される同期信号をシャッターメガネ２００に伝送する。通信部１４０は同期信号を伝送することにあって、赤外線又は可視光線など多様な方式が適用されることができる。
【００５７】
同期信号処理部１５０はディスプレイ部１３０に表示される３次元映像の表示タイミングと同期化された同期信号を生成して通信部１４０に伝達する。同期信号処理部１５０は同期信号生成の時に、既指定されたノイズコードを垂直同期区間に対応して形成するところ、同期信号処理部１５０のより詳しい構成に関しては後述する。
【００５８】
以下、シャッターメガネ２００の各構成要素に関して説明する。
【００５９】
信号受信部２１０は通信部１４０の通信規格に対応するように設けられて、通信部１４０から伝送される同期信号を受信して同期信号復元部２４０に伝達する。
【００６０】
左眼レンズ部２２０及び右眼レンズ部２３０はシャッター駆動部２５０からの制御によって選択的に光透過又は光遮断されるように作動する。このように左眼レンズ部２２０及び右眼レンズ部２３０が使用者の左眼及び左右に対する光透過／光遮断を選択的に行うことによって、使用者はディスプレイ部１３０に表示される左眼映像のフレーム及び右眼映像のフレームを左眼及び右眼を通じて各々認知することができる。
【００６１】
左眼レンズ部２２０及び右眼レンズ部２３０の具現方式は限定されないが、シャッター駆動部２５０から電圧が認可される時光透過を遮断して、電圧が認可されない時光透過を許容する液晶レンズに具現されることができる。しかしこれは一つの例示に過ぎないもので、左眼レンズ部２２０及び右眼レンズ部２３０は電圧が認可される時光透過を許容して、電圧が認可されない時光透過を遮断するように設けられることもできる。また、左眼レンズ部２２０及び右眼レンズ部２３０は認可される電圧レベルによって相違な光透過率を持つことができる。
【００６２】
同期信号復元部２４０は既指定されたノイズコードをもっていて、このノイズコードは前同期信号処理部１５０が同期信号生成時適用したノイズコードと同一である。同期信号復元部２４０は信号受信部２１０から受信される同期信号に対して、このノイズコードに基づいて垂直同期区間を復元する。そして、同期信号復元部２４０は復元された同期信号をシャッター駆動部２５０に伝達する。
【００６３】
シャッター駆動部２５０は同期信号復元部２４０から伝達される同期信号によって、左眼レンズ部２２０及び右眼レンズ部２３０に選択的に電圧を認可することによって選択的に光透過が設けられるようにする。例えば、シャッター駆動部２５０は左眼映像のフレームが表示されている垂直同期区間で、左眼レンズ部２２０を光透過をさせて右眼レンズ部２３０を遮断させる。反面、シャッター駆動部２５０は右眼映像のフレームが表示されている垂直同期区間で、左眼レンズ部２２０を遮断させて右眼レンズ部２３０を光透過させる。そして、シャッター駆動部２５０はディスプレイ部１３０に映像フレームが走査される間には左眼レンズ部２２０及び右眼レンズ部２３０を遮断させる。
【００６４】
以下、同期信号処理部１５０が同期信号を生成する方法及び同期信号復元部２４０が同期信号の垂直同期区間を復元する方法に関して図３を参照して説明する。図３は既指定されたノイズコードに基づいて同期信号を生成及び復元する概念図である。
【００６５】
図３の（１）はディスプレイ部１３０に表示される３次元映像のフレームの時間による変化を表せたものである。時間が経過することによって区間V１、L１、V２、R１、V３、L２が順次的に表れる。
【００６６】
区間L１及びL２はディスプレイ部１３０に左眼映像のフレームが走査される区間で、区間R１はディスプレイ部１３０に右眼映像のフレームが走査される区間である。各映像フレームの走査区間（L１、R１、L２）の間には垂直同期区間（V１、V２、V３）がある。この垂直同期区間（V１、V２、V３）は以前の走査区間（L１、R１、L２）で走査された左眼映像のフレーム又は右眼映像のフレームがディスプレイ部１３０に表示されている状態である。
【００６７】
つまり、垂直同期区間（V１、V２、V３）は映像フレームが走査されないでディスプレイ部１３０に表示された状態である。例えば、区間V２では区間L１の間走査された左眼映像のフレームが表示されていて、区間V３では区間R１の間走査された右眼映像のフレームが表示されている。
【００６８】
同期信号処理部１５０はこのような映像信号に対応して、垂直同期区間（V１、V２、V３）を表せる同期信号を生成する。
【００６９】
図３の（２）は、同期信号処理部１５０が生成した同期信号で、区間V１に対応する部分を現せたものである。その以外の垂直同期区間（V2、V３）に関しては以下説明する例示を応用できるところ、詳しい説明を省略する。
【００７０】
同期信号処理部１５０は既設定された反復パターンを持つ直交性のノイズコードを持つ。ここで、コードが直交性を持つことは、該当コードが他のコードと混合された場合にこの混合された状態で元のコードを容易に分離又は復元することができるように、該当コードが他コードに比べて独立性を持つことを意味する。つまり、直交性が優秀なコードは他ノイズが混入されてもフィルタリングを通じて元のコードを容易に復元させることができる。
【００７１】
コードがこういう直交性を持つためにはいくつの特性を持つ。コードが０と１（又onとoff）で構成されているとする時、０と１による既設定されたパターンが反復されることによって規則性を持って、コード内で０と１の総数が均衡的に形成される。つまり、コード全体的にはノイズと類似だがその内部は他コードと区別されることができる規則的なパターンを持つ。こういうノイズコードにはPN(pseudo-noise)コードがある。
【００７２】
このような、既指定されたノイズコードがある時、前記した特性によって所定の信号から該当ノイズコードが位置する区間を検出することが容易なところ、これを該当ノイズコードは鋭い相関関係特性を持つと表現する。また、該当ノイズコードと相違な別途のノイズが前記した信号に混入されても、既指定されたノイズコードを前記した信号に対比させることによって別途のノイズに対するフィルタリングが容易なところ、これを該当ノイズコードは低い相互相関特性を持つと表現する。
【００７３】
このように、同期信号処理部１５０は既指定されたノイズコードを垂直同期区間（V1、V２、V３）に対応して形成することによって同期信号を生成する。以下、同期信号処理部１５０によって生成される同期信号を第１同期信号にいって、この名称は実施例の説明のために便宜上言っただけで、本発明の思想を限定しない。
【００７４】
同期信号処理部１５０が生成した第１同期信号が通信部１４０を通じてシャッターメガネ２００の信号受信部２１０に受信されると、信号受信部２１０は第１同期信号を同期信号復元部２４０に伝達する。同期信号復元部２４０は既指定されたノイズコードに基づいて第１同期信号で映像信号の垂直同期区間（V１、V２、V３）に対応する垂直同期区間（S１、S２、S３）を復元することによって第２同期信号を生成するところ、これは図３の（３）に示したことと同一である。
【００７５】
同期信号復元部２４０は第１同期信号に対して既指定されたノイズコードとのコリレーション（correlation）分析を行って、その結果から第１同期信号でノイズコードが形成された区間を垂直同期区間（S１、S２、S３）に判断する。コリレーション分析は比較対象になる二つのコード間の関係の密接な程度又は相互類似な程度、つまり相関関係を分析する統計的分析方法をいう。コリレーション分析は公知された統計分析技法であるところ、本実施例で詳しい説明は省略する。
【００７６】
同期信号復元部２４０はこのコリレーション分析の結果に基づいて、第１同期信号の時間による区間の中で既指定されたノイズコードと同一乃至は類似な区間を検出することによって第２同期信号を生成する。この第２同期信号の生成方法に関して以下図４を参照して説明する。
【００７７】
図４は同期信号復元部２４０による第１同期信号のコリレーション分析の結果の例示を示したグラフである。
【００７８】
図４のグラフで、横軸は時間で、縦軸は第１同期信号及び既指定されたノイズコードとのコリレーションの結果値としてその値が高くなるほど類似度又は相関関係が高いことを意味する。横軸及び縦軸は相対比較のための値で、単位がない。本実施例では既指定されたノイズコードでPNコードの中一つのPN６３コードを採択するが、これは一つの例示に過ぎないところ多様に変更適用ができる事項である。
【００７９】
グラフをみると、時間がT1からT６に進行されることによって、第１同期信号及びPN６３コードとのコリレーションの結果値が変化するのをわかる。しかし、時間T１、T２、T４、T５付近ではコリレーションレベルが０付近で変化することに比べて、時間T３、T６付近ではレベルL３まで急激に上昇することをわかるである。
【００８０】
これは、第１同期信号の時間T３、T６付近区間でPN６３コードと同一乃至は類似なコードを含めて、その以外の時間区間にはPN６３コードと同一乃至は類似なコートを含まないことを意味する。つまり、PN６３コードは直交性を持つノイズコードであるところ、その特性である鋭い自己相関関係及び低い相互相関関係によって、本グラフのような結果が現れることをわかるである。
【００８１】
同期信号復元部２４０はこの結果から、第１同期信号の所定区間及びPN６３コードとのコリレーションの結果レベル、つまり第１同期信号の所定区間及びPN６３コードとの相関度が既設定レベル、例えばレベルL1以上なのか可否を判断する。そして、同期信号復元部２４０は該当区間がレベルL１以上の場合に、この区間を垂直同期区間であると判断する。
【００８２】
また、同期信号復元部２４０はコリレーションの分析によるタイミング遅延を考えて垂直同期区間のタイミングを調節することで、図３の（３）に示されたように第２同期信号を生成する。そして、同期信号復元部２４０は第２同期信号をシャッター駆動部２５０に伝達する。
【００８３】
第１同期信号がディスプレイ装置１００からシャッターメガネ２００に伝送される過程には外部環境によるノイズ混入の危険が大きいことがある。例えば、第１同期信号が赤外線通信に基づいて伝送される場合、赤外線を使用する他装置のリモコンコントローラなどによって干渉されて、第１同期信号に意図してないノイズが混入されることがある。
【００８４】
本実施例はこれを対比して、直交性を持つ既指定されたノイズコードをディスプレイ装置１００及びシャッターメガネ２００が共有して、垂直同期区間をこのノイズコードに基づいて生成及び復元させる。これで、第１同期信号に混入された他ノイズをフィルタリングして垂直同期区間を判別できるところ、シャッターメガネ２００の誤動作を防止することができる。
【００８５】
一方、前記した実施例ではノイズコードがディスプレイ装置１００及びシャッターメガネ２００に各々既指定されたことに表現するが、本発明の思想がこれに限定されない。
【００８６】
例えば、ノイズコードはディスプレイ装置１００に貯蔵されて、ディスプレイ装置１００は第１同期信号を伝送する前に、ノイズコードをシャッターメガネ２００に伝送する。
【００８７】
シャッターメガネ２００はディスプレイ装置１００から所定コードを受信すると、既設定されたアルゴリズムによってパターンの分析を行って、該当コードがディスプレイ１００からの既指定されたノイズコードに判断されると、これを貯蔵する。そして、ディスプレイ装置１００から第１同期信号が受信されると、先に貯蔵したノイズコードに基づいてコリレーション分析を行う。
【００８８】
この方法によって、同期信号の伝送中に混入されるノイズを容易にフィルタリングすることで、垂直同期区間を判別することができる。
【００８９】
以下、本実施例によるディスプレイ装置１００の制御方法に関して図５を参照して説明する。図５はこの過程を示した制御流れ図である。
【００９０】
図５に図示されたように、映像受信部１１０に映像信号が受信されると（S１００）、映像処理部１２０はこの映像信号が３次元映像に対応するのかを判断する（S１１０）。
【００９１】
映像信号が３次元映像に対応すると、同期信号処理部１５０は既指定されたノイズコードを垂直同期区間に対応して形成することによって第１同期信号を生成する（S１２０）。そして、通信部１４０は生成された第１同期信号をシャッターメガネ２００に伝送する（S１３０）。
【００９２】
映像処理部１２０は映像信号に基づいて、ディスプレイ部１３０に３次元映像を表示する（S１４０）。
【００９３】
以下、本実施例によるシャッターメガネ２００の制御方法に関して図６を参照して説明する。図６はこの過程を示した制御流れ図である。
【００９４】
図６に図示されたように、信号受信部２１０に第１同期信号が受信されると（S２００）、同期信号復元部２４０は既指定されたノイズコードに基づいて、第１同期信号に対するコリレーション分析を行う（S２１０）。
【００９５】
この分析の結果から、同期信号復元部２４０は第１同期信号から既指定されたノイズコードが配置された区間を検出して（S２２０）、検出された区間を垂直同期区間に復元する（S２３０）。そして、同期信号復元部２４０は復元された垂直同期区間のタイミングを調停することによって、第２同期信号を生成してシャッター駆動部２５０に伝達する（S２４０）。
【００９６】
シャッター駆動部２５０は第２同期信号に対応して左眼レンズ部２２０及び右眼レンズ部２３０を駆動させる（Ｓ２５０）。
【００９７】
前記した実施例は例示的なことに過ぎないもので、当該技術分野の通常の知識を持ったものなら多様な変形及び均等な他実施例ができる。故に、本発明の真の技術的な保護範囲は下記の特許請求範囲に記載された発明の技術的な思想によって決められることである。
【符号の説明】
【００９８】
１：ディスプレイシステム
１００：ディスプレイ装置
１１０：映像受信部
１２０：映像処理部
１３０：ディスプレイ部
１４０：通信部
１５０：同期信号処理部
２００：シャッターメガネ
２１０：信号受信部
２２０：左眼レンズ部
２３０：右眼レンズ部
２４０：同期信号復元部
２５０：シャッター駆動部
【図１】
2012060631.tif 000003
【図２】
2012060631.tif 000004
【図３】
2012060631.tif 000005
【図４】
2012060631.tif 000006
【図５】
2012060631.tif 000007
【図６】
2012060631.tif 000008